(57)【要約】【課題】印刷物において生じる版ズレを考慮することで、最終印刷物をより忠実に再現するカラープルーフを作成することを可能にする画像出力システム、制御装置、画像出力装置、画像出力方法、その方法を実行させるためのプログラム、及び、そのプログラムを記憶した記憶媒体を提供する。【解決手段】操作者は、ズラシ量指定部１２によって色版毎にズラシ量を指定する。ズラシ処理部１３は、そのズラシ量に従って、ラスターデータ保存部１１に保存される色版別の画像ラスターデータに対するズラシ処理を行う。尚、ズラシ処理が施された画像ラスターデータに基づく画像は、表示部１４において表示する。ＤＣＰ作成装置制御部１５は、ズラシ処理が施された画像ラスターデータをＤＣＰ作成装置２に送信する。ＤＣＰ作成装置２は、ズラシ処理が施された画像ラスターデータに基づく画像をカラープルーフとして出力する。【選択図】      図２
2004294656.tif 000002
【特許請求の範囲】
【請求項１】
外部装置より入力された画像データの解析を行い、色版別の画像ラスターデータを作成する画像データ解析加工手段と、
前記作成された色版別の画像ラスターデータを保存する保存手段と、
前記保存された色版別の画像ラスターデータの基準となる重ね合わせ位置からのズラシ量を各々指定するためのズラシ量指定手段と、
前記指定されたズラシ量に基づいて、前記保存された色版別の画像ラスターデータを各々前記基準となる重ね合わせ位置から外れた位置に配置するズラシ処理を行うズラシ処理手段と、
前記ズラシ処理が施された色版別の画像ラスターデータを画像出力装置に対して出力する出力手段と、を備える制御装置と、
前記出力手段より出力された前記ズラシ処理が施された色版別の画像ラスターデータを重ね合わせた画像を出力する画像出力装置と、を含むことを特徴とする画像出力システム。
【請求項２】
前記ズラシ処理が施された色版別の画像ラスターデータを重ね合わせた画像を表示する表示手段を、さらに備えることを特徴とする請求項１記載の画像出力システム。
【請求項３】
前記表示手段は、前記ズラシ処理が施された色版別の画像ラスターデータを重ね合わせた画像に加えて、前記ズラシ処理が施される前の色版別の画像ラスターデータを重ね合わせた画像を表示することを特徴とする請求項２に記載の画像出力システム。
【請求項４】
前記出力手段は、前記ズラシ処理が施された色版別の画像ラスターデータに加えて、前記ズラシ処理が施される前の色版別の画像ラスターデータを前記画像出力装置に対して出力し、
前記画像出力装置は、前記ズラシ処理が施された色版別の画像ラスターデータを重ね合わせた画像に加えて、前記ズラシ処理が施される前の色版別の画像ラスターデータを重ね合わせた画像を出力することを特徴とする請求項１乃至請求項３の何れか一項に記載の画像出力システム。
【請求項５】
外部装置より入力された画像データの解析を行い、色版別の画像ラスターデータを作成する画像データ解析加工手段と、
前記作成された色版別の画像ラスターデータを保存する保存手段と、
前記保存された色版別の画像ラスターデータの基準となる重ね合わせ位置からのズラシ量を各々指定するためのズラシ量指定手段と、
前記指定されたズラシ量に基づいて、前記保存された色版別の画像ラスターデータを各々前記基準となる重ね合わせ位置から外れた位置に配置するズラシ処理を行うズラシ処理手段と、
前記ズラシ処理が施された色版別の画像ラスターデータを重ね合わせた画像を出力する画像出力手段と、を備えた画像出力装置を含むことを特徴とする画像出力システム。
【請求項６】
前記ズラシ処理が施された色版別の画像ラスターデータを重ね合わせた画像を表示する表示手段を、さらに備えることを特徴とする請求項５記載の画像出力システム。
【請求項７】
前記表示手段は、前記ズラシ処理が施された色版別の画像ラスターデータを重ね合わせた画像に加えて、前記ズラシ処理が施される前の色版別の画像ラスターデータを重ね合わせた画像を表示することを特徴とする請求項６に記載の画像出力システム。
【請求項８】
前記画像出力手段は、前記ズラシ処理が施された色版別の画像ラスターデータを重ね合わせた画像に加えて、前記ズラシ処理が施される前の色版別の画像ラスターデータを重ね合わせた画像を出力することを特徴とする請求項５乃至請求項７の何れか一項に記載の画像出力システム。
【請求項９】
前記ズラシ量は、前記色版別の画像ラスターデータの前記基準となる重ね合わせ位置からの上下方向及び／又は左右方向に関するズレ量であることを特徴とする請求項５乃至請求項８の何れか一項に記載の画像出力システム。
【請求項１０】
色版別の画像ラスターデータに基づき、前記色版別の画像ラスターデータが重ね合わされてなる画像を出力する画像出力装置の出力制御を行う制御装置であって、
外部装置より入力された画像データの解析を行い、色版別の画像ラスターデータを作成する画像データ解析加工手段と、
前記作成された色版別の画像ラスターデータを保存する保存手段と、
前記保存された色版別の画像ラスターデータの基準となる重ね合わせ位置からのズラシ量を各々指定するためのズラシ量指定手段と、
前記指定されたズラシ量に基づいて、前記保存された色版別の画像ラスターデータを各々前記基準となる重ね合わせ位置から外れた位置に配置するズラシ処理を行うズラシ処理手段と、
前記ズラシ処理が施された色版別の画像ラスターデータを画像出力装置に対して出力する出力手段と、を備えたことを特徴とする制御装置。
【請求項１１】
前記ズラシ処理が施された色版別の画像ラスターデータを重ね合わせた画像を表示する表示手段を、さらに備えることを特徴とする請求項１０記載の制御装置。
【請求項１２】
前記表示手段は、前記ズラシ処理が施された色版別の画像ラスターデータを重ね合わせた画像に加えて、前記ズラシ処理が施される前の色版別の画像ラスターデータを重ね合わせた画像を表示することを特徴とする請求項１１に記載の制御装置。
【請求項１３】
前記出力手段は、前記ズラシ処理が施された色版別の画像ラスターデータに加えて、前記ズラシ処理が施される前の色版別の画像ラスターデータを前記画像出力装置に対して出力することを特徴とする請求項１０乃至請求項１２の何れか一項に記載の制御装置。
【請求項１４】
前記ズラシ量は、前記色版別の画像ラスターデータの前記基準となる重ね合わせ位置からの上下方向及び／又は左右方向に関するズレ量であることを特徴とする請求項１０乃至請求項１３の何れか一項に記載の制御装置。
【請求項１５】
色版別の画像ラスターデータに基づき、前記色版別の画像ラスターデータが重ね合わされてなる画像を出力する画像出力装置であって、
外部装置より入力された画像データの解析を行い、色版別の画像ラスターデータを作成する画像データ解析加工手段と、
前記作成された色版別の画像ラスターデータを保存する保存手段と、
前記保存された色版別の画像ラスターデータの基準となる重ね合わせ位置からのズラシ量を各々指定するためのズラシ量指定手段と、
前記指定されたズラシ量に基づいて、前記保存された色版別の画像ラスターデータを各々前記基準となる重ね合わせ位置から外れた位置に配置するズラシ処理を行うズラシ処理手段と、
前記ズラシ処理が施された色版別の画像ラスターデータを重ね合わせた画像を出力する画像出力手段と、を備えたことを特徴とする画像出力装置。
【請求項１６】
前記ズラシ処理が施された色版別の画像ラスターデータを重ね合わせた画像を表示する表示手段を、さらに備えることを特徴とする請求項１５記載の画像出力装置。
【請求項１７】
前記表示手段は、前記ズラシ処理が施された色版別の画像ラスターデータを重ね合わせた画像に加えて、前記ズラシ処理が施される前の色版別の画像ラスターデータを重ね合わせた画像を表示することを特徴とする請求項１５又は請求項１６に記載の画像出力装置。
【請求項１８】
前記画像出力手段は、前記ズラシ処理が施された色版別の画像ラスターデータを重ね合わせた画像に加えて、前記ズラシ処理が施される前の色版別の画像ラスターデータを重ね合わせた画像を出力することを特徴とする請求項１５乃至請求項１７の何れか一項に記載の画像出力装置。
【請求項１９】
前記ズラシ量は、前記色版別の画像ラスターデータの前記基準となる重ね合わせ位置からの上下方向及び／又は左右方向に関するズラシ量であることを特徴とする請求項１５乃至請求項１８の何れか一項に記載の画像出力装置。
【請求項２０】
制御装置より出力された色版別の画像ラスターデータに基づき、画像出力装置において、前記色版別の画像ラスターデータが重ね合わされてなる画像を出力する画像出力方法であって、
前記制御装置において、
外部装置より入力される画像データの解析を行い、前記色版別の画像ラスターデータを作成する画像データ解析加工ステップと、
前記作成された色版別の画像ラスターデータを保存する保存ステップと、
前記保存された色版別の画像ラスターデータの基準となる重ね合わせ位置からのズラシ量を各々取得するズラシ量取得ステップと、
前記取得されたズラシ量に基づいて、前記保存された色版別の画像ラスターデータを各々前記基準となる重ね合わせ位置から外れた位置に配置するズラシ処理を行うズラシ処理ステップと、
前記ズラシ処理が施された色版別の画像ラスターデータを前記画像出力装置に対して出力する出力ステップと、を含むことを特徴とする画像出力方法。
【請求項２１】
前記ズラシ処理が施された色版別の画像ラスターデータを重ね合わせた画像を表示する表示ステップを、さらに含むことを特徴とする請求項２０記載の画像出力方法。
【請求項２２】
前記表示ステップにおいては、前記ズラシ処理が施された色版別の画像ラスターデータを重ね合わせた画像に加えて、前記ズラシ処理が施される前の色版別の画像ラスターデータを重ね合わせた画像を表示することを特徴とする請求項２０又は請求項２１に記載の画像出力方法。
【請求項２３】
前記出力ステップにおいては、前記ズラシ処理が施された色版別の画像ラスターデータを重ね合わせた画像に加えて、前記ズラシ処理が施される前の色版別の画像ラスターデータを重ね合わせた画像を前記画像出力装置に対して出力すると共に、
前記画像出力装置において、前記ズラシ処理が施された色版別の画像ラスターデータを重ね合わせた画像に加えて、前記ズラシ処理が施される前の色版別の画像ラスターデータを重ね合わせた画像を出力する画像出力ステップを、さらに含むことを特徴とする請求項２０乃至請求項２２の何れか一項に記載の画像出力方法。
【請求項２４】
画像出力装置において、入力された色版別の画像ラスターデータに基づき、前記色版別の画像ラスターデータが重ね合わされてなる画像を出力する画像出力方法であって、
外部装置より入力される画像データの解析を行い、前記色版別の画像ラスターデータを作成する画像データ解析加工ステップと、
前記作成された色版別の画像ラスターデータを保存する保存ステップと、
前記保存された色版別の画像ラスターデータの基準となる重ね合わせ位置からのズラシ量を各々取得するズラシ量取得ステップと、
前記取得されたズラシ量に基づいて、前記保存された色版別の画像ラスターデータを各々前記基準となる重ね合わせ位置から外れた位置に配置するズラシ処理を行うズラシ処理ステップと、
前記ズラシ処理が施された色版別の画像ラスターデータを重ね合わせた画像を出力する画像出力ステップと、を含むことを特徴とする画像出力方法。
【請求項２５】
前記ズラシ処理が施された色版別の画像ラスターデータを重ね合わせた画像を表示する表示ステップを、さらに含むことを特徴とする請求項２４記載の画像出力方法。
【請求項２６】
前記表示ステップにおいては、前記ズラシ処理が施された色版別の画像ラスターデータを重ね合わせた画像に加えて、前記ズラシ処理が施される前の色版別の画像ラスターデータを重ね合わせた画像を表示することを特徴とする請求項２５記載の画像出力方法。
【請求項２７】
前記画像出力ステップにおいては、前記ズラシ処理が施された色版別の画像ラスターデータを重ね合わせた画像に加えて、前記ズラシ処理が施される前の色版別の画像ラスターデータを重ね合わせた画像を出力することを特徴とする請求項２６記載の画像出力方法。
【請求項２８】
前記ズラシ量は、前記色版別の画像ラスターデータの前記基準となる重ね合わせ位置からの上下方向及び／又は左右方向に関するズレ量であることを特徴とする請求項２０乃至請求項２７の何れか一項に記載の画像出力方法。
【請求項２９】
請求項２０乃至請求項２８の何れか一項に記載の画像出力方法をコンピュータにおいて実行させることを特徴とするプログラム。
【請求項３０】
請求項２９記載のプログラムをコンピュータにより読み出し可能に記録したことを特徴とする記録媒体。
【発明の詳細な説明】
【０００１】
【発明の属する技術分野】
本発明は、画像出力システム、制御装置、画像出力装置、画像出力方法、その方法を実行させるためのプログラム、及び、そのプログラムを記憶した記憶媒体に関し、特に、波長の異なる複数の光源によって感光材料を感光させることで、印刷物の仕上がりを事前に確認するためのカラープルーフを作成するものに関する。
【０００２】
【従来の技術】
従来より、カラーの印刷物を印刷する際には、通常、４色（Ｃ（シアン）／Ｍ（マゼンタ）／Ｙ（イエロー）／Ｋ（ブラック））の色版を作成して、これらの色版を印刷機に組み込むことで印刷を行っている。
【０００３】
ところで、このような印刷機は、非常に精密な構造を有しているが、高速輪転印刷を行うと、各色版に相互の位置ズレが生じて、印刷物においては、各色の重なりがズレてしまう、所謂、「版ズレ」の問題が生じる場合がある。
【０００４】
そこで、このような問題を解決するために、例えば、特開平５−２００９７０号公報に開示される印刷機用版胴の製造方法においては、版胴の表面粗さを所定の範囲に調整して、微小凹凸を形成した後、メッキ層を形成することで、メッキ層の表面を微細なデインプル状として、版との摩擦係数を著しく向上させることで版ズレを防止することが提案されている（例えば、特許文献１参照）。
【０００５】
しかしながら、このような版ズレ防止策によっても、版ズレを完全に生じなくすることは困難であった。
【０００６】
そこで、近年では、版ズレが生じることを前提として、様々な版ズレ対応策が提案されることとなった。
【０００７】
例えば、特開平９−１８１９２４号公報に開示される画像のカブセ処理装置及び方法においては、画像データの処理によって、隣接する画像領域同士の境界部にカブセ領域を形成することで、版ズレによる白抜けを防止することが提案されている（例えば、特許文献２参照）。
【０００８】
また、特開２００１−３２８３２６号公報に開示される版ずれ測定方法及び装置並びに記録媒体においては、画像出力媒体上に出力されたＫ、Ｃ、Ｍ、Ｙ、４版の同心円画像を光学的に読み取った画像データから各版の円周上の３点の座標を検出し、それら座標を用いて各版の円の中心座標を算出し、それらの中心座標を用いて版ずれを算出することが提案されている（例えば、特許文献３参照）。
【０００９】
また一方で、最近では、新たな版ズレ防止策として、例えば、特開２００２−２３４１３７号公報に開示される可撓性刷版装着方法および装着装置においては、可撓性刷版の版先を版先クランプ機構に固定する際に、版先クランプ機構の位置決めピンに刷版の版先の切欠きを当接させて位置決め固定し、刷版を固定後、これを版胴に券回する際に、押圧手段により刷版を版胴外周面に押圧すると共に、刷版の版尻を版胴に固定し、且つ、刷版と版胴の間には、表面に粒状物を固着させた脱落防止層を有する版下シートを介在させることで版ズレを防止することが提案されている。
【００１０】
しかしながら、これら版ズレ対応策及び版ズレ防止策は、何れも業界への普及には至っていない状況にある。
【００１１】
ところで、印刷機により印刷される印刷物の仕上がりを事前にシミュレートする目的で、カラープルーフを作成するＤＣＰ（Ｄｉｇｉｔａｌ  Ｃｏｌｏｒ  Ｐｒｏｏｆ）作成装置が提案されている。このようなＤＣＰ作成装置の中には、例えば、特開平１１−２０５６２２号公報に開示されるカラープルーフ作成装置のように、各色分解原稿の網点画像データに基づいて、感光材料に、例えばＲ（レッド）／Ｇ（グリーン）／Ｂ（ブルー）等の波長の異なる複数の光の組み合わせから成る光点を露光して、Ｙ／Ｍ／Ｃ／Ｋの各色を発色させるものがある。当該カラープルーフ作成装置においては、複数の光源から同時に光を発して露光を行う、所謂、マルチ露光を実施するため、版ズレは生じ得ない構成となっている。
【００１２】
【特許文献１】
特開平５−２００９７０号公報
（段落〔０００８〕‐〔００１０〕、第１図乃至第３図）
【特許文献２】
特開平９−１８１９２４号公報
（段落〔００２７〕‐〔０１１８〕、第１図乃至第２１図）
【特許文献３】
特開２００１−３２８３２６号公報
（段落〔０００９〕‐〔００２０〕、第１図乃至第５図）
【特許文献４】
特開２００２−２３４１３７号公報
（段落〔００２５〕‐〔０１０３〕、第１図乃至第２０図）
【特許文献５】
特開平１１−２０５６２２号公報
（段落〔００２０〕‐〔００８８〕、第１図乃至第１９図）
【００１３】
【発明が解決しようとする課題】
従って、当該カラープルーフ作成装置によれば、極めて良好なカラープルーフを作成することが可能であるが、上述したように、印刷物においては、少なからず版ズレが生じるために、結果として、カラープルーフと印刷物の間には、色調の相違が生じてしまい、印刷物の仕上がりを適正に判断することが困難になっている。
【００１４】
特に、近年においては、特色を出力することが可能なＤＣＰ作成装置が登場するに至り、このような混乱を回避する手法や装置の登場が必要不可欠となった。
【００１５】
即ち、一般に、カラープルーフや印刷物の階調再現においては、画像を構成する各色版の網点の大きさを調整する面積階調方式が用いられているが、この面積階調方式においては、通常の出力に用いられるＣ／Ｍ／Ｙ／Ｋ、各色の色版における網点の並び方向（＝網点角度）は、一般的に０／１５／４５／７５度の中から排他的に選択されることが望ましいとされている。その一例を図１３に示す。図１３においては、Ｃ版が１５度、Ｍ版が４５度、Ｙ版が０度、Ｋ版が７５度となっている。しかしながら、これらの色版に加えて特色版が追加される場合には、その網点角度は、これらの色版の何れかと同一の角度にせざるを得なくなる。例えばＭと特色（例えば、ゴールド）の網点角度が同じ４５度とされることになる。このような場合、ＤＣＰ作成装置により作成されたカラープルーフは、版ズレが全く生じることがないので、Ｍ版とゴールド版の重なり領域においては、ミクロ的に見ると、図１４（Ａ）に示すように、互いの網点が全く重なり合うことになる。一方、印刷機により印刷された印刷物は、ミクロ的に見ると、図１４（Ｂ）に示すように、下方に位置する色版（例えば、Ｍ版）の網点が可視状態となる。従って、これらカラープルーフと印刷物とをマクロ的に比較した場合には、互いに全く異なった色調に見えることになる。
【００１６】
本発明は、上記事情に鑑みてなされたものであり、その目的とするところは、印刷物において生じる版ズレを考慮することで、最終印刷物をより忠実に再現するカラープルーフを作成することを可能にする画像出力システム、制御装置、画像出力装置、画像出力方法、その方法を実行させるためのプログラム、及び、そのプログラムを記憶した記憶媒体を提供することにある。
【００１７】
【課題を解決するための手段】
上記課題を解決するために、請求項１記載の発明は、外部装置より入力された画像データの解析を行い、色版別の画像ラスターデータを作成する画像データ解析加工手段と、前記作成された色版別の画像ラスターデータを保存する保存手段と、前記保存された色版別の画像ラスターデータの基準となる重ね合わせ位置からのズラシ量を各々指定するためのズラシ量指定手段と、前記指定されたズラシ量に基づいて、前記保存された色版別の画像ラスターデータを各々前記基準となる重ね合わせ位置から外れた位置に配置するズラシ処理を行うズラシ処理手段と、前記ズラシ処理が施された色版別の画像ラスターデータを画像出力装置に対して出力する出力手段と、を備える制御装置と、前記出力手段より出力された前記ズラシ処理が施された色版別の画像ラスターデータを重ね合わせた画像を出力する画像出力装置と、を含むことを特徴とする。
【００１８】
上記課題を解決するために、請求項５記載の発明は、外部装置より入力された画像データの解析を行い、色版別の画像ラスターデータを作成する画像データ解析加工手段と、前記作成された色版別の画像ラスターデータを保存する保存手段と、前記保存された色版別の画像ラスターデータの基準となる重ね合わせ位置からのズラシ量を各々指定するためのズラシ量指定手段と、前記指定されたズラシ量に基づいて、前記保存された色版別の画像ラスターデータを各々前記基準となる重ね合わせ位置から外れた位置に配置するズラシ処理を行うズラシ処理手段と、前記ズラシ処理が施された色版別の画像ラスターデータを重ね合わせた画像を出力する画像出力手段と、を備えた画像出力装置を含むことを特徴とする。
【００１９】
上記課題を解決するために、請求項１０記載の発明は、色版別の画像ラスターデータに基づき、前記色版別の画像ラスターデータが重ね合わされてなる画像を出力する画像出力装置の出力制御を行う制御装置であって、外部装置より入力された画像データの解析を行い、色版別の画像ラスターデータを作成する画像データ解析加工手段と、前記作成された色版別の画像ラスターデータを保存する保存手段と、前記保存された色版別の画像ラスターデータの基準となる重ね合わせ位置からのズラシ量を各々指定するためのズラシ量指定手段と、前記指定されたズラシ量に基づいて、前記保存された色版別の画像ラスターデータを各々前記基準となる重ね合わせ位置から外れた位置に配置するズラシ処理を行うズラシ処理手段と、前記ズラシ処理が施された色版別の画像ラスターデータを画像出力装置に対して出力する出力手段と、を備えたことを特徴とする。
【００２０】
上記課題を解決するために、請求項１５記載の発明は、色版別の画像ラスターデータに基づき、前記色版別の画像ラスターデータが重ね合わされてなる画像を出力する画像出力装置であって、外部装置より入力された画像データの解析を行い、色版別の画像ラスターデータを作成する画像データ解析加工手段と、前記作成された色版別の画像ラスターデータを保存する保存手段と、前記保存された色版別の画像ラスターデータの基準となる重ね合わせ位置からのズラシ量を各々指定するためのズラシ量指定手段と、前記指定されたズラシ量に基づいて、前記保存された色版別の画像ラスターデータを各々前記基準となる重ね合わせ位置から外れた位置に配置するズラシ処理を行うズラシ処理手段と、前記ズラシ処理が施された色版別の画像ラスターデータを重ね合わせた画像を出力する画像出力手段と、を備えたことを特徴とする。
【００２１】
上記課題を解決するために、請求項２０記載の発明は、制御装置より出力された色版別の画像ラスターデータに基づき、画像出力装置において、前記色版別の画像ラスターデータが重ね合わされてなる画像を出力する画像出力方法であって、前記制御装置において、外部装置より入力される画像データの解析を行い、前記色版別の画像ラスターデータを作成する画像データ解析加工ステップと、前記作成された色版別の画像ラスターデータを保存する保存ステップと、前記保存された色版別の画像ラスターデータの基準となる重ね合わせ位置からのズラシ量を各々取得するズラシ量取得ステップと、前記取得されたズラシ量に基づいて、前記保存された色版別の画像ラスターデータを各々前記基準となる重ね合わせ位置から外れた位置に配置するズラシ処理を行うズラシ処理ステップと、前記ズラシ処理が施された色版別の画像ラスターデータを前記画像出力装置に対して出力する出力ステップと、を含むことを特徴とする。
【００２２】
上記課題を解決するために、請求項２４記載の発明は、画像出力装置において、入力された色版別の画像ラスターデータに基づき、前記色版別の画像ラスターデータが重ね合わされてなる画像を出力する画像出力方法であって、外部装置より入力される画像データの解析を行い、前記色版別の画像ラスターデータを作成する画像データ解析加工ステップと、前記作成された色版別の画像ラスターデータを保存する保存ステップと、前記保存された色版別の画像ラスターデータの基準となる重ね合わせ位置からのズラシ量を各々取得するズラシ量取得ステップと、前記取得されたズラシ量に基づいて、前記保存された色版別の画像ラスターデータを各々前記基準となる重ね合わせ位置から外れた位置に配置するズラシ処理を行うズラシ処理ステップと、前記ズラシ処理が施された色版別の画像ラスターデータを重ね合わせた画像を出力する画像出力ステップと、を含むことを特徴とする。
【００２３】
上記課題を解決するために、請求項２９記載の発明は、請求項２０乃至請求項２８の何れか一項に記載の画像出力方法をコンピュータにおいて実行させることを特徴とする。
【００２４】
上記課題を解決するために、請求項３０記載の発明は、請求項２９記載のプログラムをコンピュータにより読み出し可能に記録したことを特徴とする。
【００２５】
【発明の実施の形態】
以下、本発明に係る画像出力システム、制御装置、画像出力装置、画像出力方法、その方法を実行させるためのプログラム、及び、そのプログラムを記憶した記憶媒体の一実施形態について、図面を参照しながら詳細に説明する。
【００２６】
［画像出力システム］
まず、本実施形態における画像出力システムのシステム構成及び概略動作について、図１を参照しつつ説明する。
【００２７】
＜システム構成＞
図１に示すように、当該画像出力システムは、上流端末、即ち、画像データ編集端末３やＲＩＰ（Ｒａｓｔｅｒ・Ｉｍａｇｅ・Ｐｒｏｃｅｓｓｏｒ）４から送信された画像データに所定の加工処理を行った後、これを画像出力装置であるＤＣＰ作成装置２に送信する制御装置１と、この制御装置１から送信された画像データを出力するＤＣＰ作成装置２とから構成されている。因みに、ＲＩＰ４は、制御装置１に組み込まれた構成としても良い。尚、制御装置１及び画像データ編集端末３は、各々、コンピュータターミナル（端末装置）として動作するものである。制御装置１は、コンピュータ本体、キーボード、表示部等を備え、所定の動作プログラムが組み込まれている。また、ＤＣＰ作成装置２は、複数が設けられても良い。また、画像データ編集端末３は、コンピュータ本体、キーボード、表示部、イメージスキャナ等の必要な画像入力機器を備えている。さらに、これらはネットワークＮを介して制御装置１に接続されている。
【００２８】
＜概略動作＞
このような構成において、制御装置１は、画像データ編集端末３やＲＩＰ４から送信された画像データを予め設定された出力条件に従って解析加工した後、これをＤＣＰ作成装置２に送信する。因みに、画像データの種別には、主としてＰＳ、ＰＤＦ、ＥＰＳ等のページ記述言語と、ＴＩＦＦ、ＴＩＦＦ／ＩＴ、ＪＰＥＧ等の汎用フォーマットとがある。また、上述の出力条件は、制御装置１において画像データ自体を加工して反映させる方法の他にも、出力条件を別途通知しておき、ＤＣＰ作成装置２においてその設定を反映させる方法がある。一方、画像データの送信先であるＤＣＰ作成装置２は、制御装置１から送信された画像データを出力する。即ち、カラープルーフが作成される。
【００２９】
［制御装置］
次に、当該画像出力システムを構成する制御装置１の詳細構成及び詳細動作について、図２及び図４を参照しつつ、図３に示すフローチャートの流れに沿って説明する。
【００３０】
＜詳細構成＞
図２に示すように、制御装置１は、画像データ編集端末３やＲＩＰ４から送信された画像データを解析加工し、色版別の画像ラスターデータを作成する画像データ解析加工部１０と、この画像データ解析加工部１０において作成された色版別の画像ラスターデータを保存するラスターデータ保存部１１と、色版毎のズラシ量を指定するためのズラシ量指定部１２と、このズラシ量指定部１２によって指定されたズラシ量に従って、ラスターデータ保存部１１に保存される色版別の画像ラスターデータに対してズラシ処理を行うズラシ処理部１３と、このズラシ処理部１３によってズラシ処理が施された色版別の画像ラスターデータに基づく画像（ズラシ処理が施された色版を重ねて表示したもの）を表示する表示部１４と、ズラシ処理部１３によってズラシ処理が施された色版別の画像ラスターデータを、出力指示信号と共にＤＣＰ作成装置２に送信するＤＣＰ作成装置制御部１５とから構成されている。
【００３１】
＜詳細動作＞
図３に示すように、このような構成において、画像データ編集端末３やＲＩＰ４から画像データが送信されると、画像データ解析加工部１０は、これを受信して（ステップ１）、その画像データを解析及び加工することで、色版別の画像ラスターデータを作成する（画像データ解析加工ステップ；ステップ２）。さらに、ラスターデータ保存部１１は、その色版別の画像ラスターデータを保存する（保存ステップ；ステップ３）。尚、画像データ解析加工部１０は、メモリ等の記憶手段とＣＰＵ等の演算手段からなり、記憶手段に記憶される処理プログラムに従って、演算手段が演算処理を行うことで、画像データの解析及び加工を行い、色版別の画像ラスターデータを作成する。また、ラスターデータ保存部１１は、メモリ等の一般的な記憶手段により構成される。
【００３２】
そして、操作者は、ズラシ量指定部１２により、カラープルーフを作成する前の準備として、色版別に、そのズラシ量の指定を行う。これによりズラシ量が取得される（ズラシ量取得ステップ；ステップ４）。
【００３３】
図４に、このズラシ量指定部１２によりズラシ量の指定を行う際の指定画面の流れを説明する画面表示構成図を示す。尚、ズラシ量指定部１２は、キーボードやマウス等の一般的な入力手段により構成される。また、後述する指定画面は、表示部１４において表示される。また、表示部１４は、モニタ等の一般的な表示手段により構成される。
【００３４】
図４に示すように、表示部１４には、通常、プリンタコントローラメイン画面１Ａが表示されている。このプリンタコントローラメイン画面１Ａでは、当該画像出力システムにおける各ジョブの処理状況が一覧表示され、例えばＲＩＰ処理待ちジョブ表示部１Ａａには、画像データ解析加工部１０によるＲＩＰ処理待ちのジョブ名称が表示され、ＲＩＰ処理済みジョブ表示部１Ａｂには、画像データ解析加工部１０によるＲＩＰ処理が終了したＲＩＰ処理済みのジョブ名称が表示され、出力処理済みジョブ表示部１Ａｃには、ＤＣＰ作成装置制御部１５による出力処理が終了した出力処理済みのジョブ名称が表示される。
【００３５】
操作者は、ＲＩＰ処理済みジョブ表示部１Ａｂにおいて、キーボード等の操作により、例えばｔｅｓｔ．ｐｓ等のジョブ名称を選択することで、同図に示す版ズラシ量指定画面１Ｂを表示させる。
【００３６】
この版ズラシ量指定画面１Ｂでは、Ｃ／Ｍ／Ｙ／Ｋ／特色１・・・等の各色版毎に、そのズラシ量を指定するための指定項目１Ｂａと、この指定項目１Ｂａにおいて指定したズラシ量に基づく画像（ズラシ処理が施された色版を重ねて表示したもの）を表示部１４に表示させるモニタ表示項目１Ｂｂと、この指定項目１Ｂａにおいて指定したズラシ量に基づきズラシ処理が施された色版別の画像ラスターデータをＤＣＰ作成装置２に送信するＯＫ項目１Ｂｃと、この指定項目１Ｂａにおいて指定したズラシ量を取り消すキャンセル項目１Ｂｄとが表示される。
【００３７】
操作者は、さらに、指定項目１Ｂａにおいて、キーボード等の操作により、各色版毎に、そのズラシ量を指定する。尚、此処に言うズラシ量とは、各色版の基準となる重ね位置からの上下方向及び左右方向に関するズレ量のことを指す。これにより、例えば斜め方向等に関する版ズレも指定することができる。また、色版によってズラシ処理を行わないものがある場合には、そのズラシ量を０と指定することもできる。
【００３８】
ところで、印刷機において発生する版ズレは、印刷機における各色版の銜え状態や、各色版を構成する素材の違いや、操作者の癖等により規則的な様相を呈する傾向にある。従って、操作者は、その傾向を踏まえて各色版の基準となる位置からの上下方向及び左右方向に関するズラシ量を指定する。これにより、印刷物において生じる版ズレを忠実に再現するカラープルーフを作成することができる。
【００３９】
（版ズラシ量指定画面の構成）
ところで、図４に示す版ズラシ量指定画面１Ｂでは、指定項目１Ｂａにおけるズラシ量の単位がｍｍとなっているが、ズラシ量の単位は、これに限定されるものではない。例えば、２４００ｄｐｉ（ｄｏｔ  ｐｅｒ  ｉｎｃｈ）、１５０ｌｐｉ（ｌｉｎｅｓ  ｐｅｒ  ｉｎｃｈ）での画像出力を行う場合には、網点１個の幅は、概ね１／１５０ｉｎｃｈ＝０．００６７ｉｎｃｈ＝０．１７ｍｍとなり、網点１個の幅相当の画素数は、概ね２４００×（１／１５０）＝１６画素となる。また、網点により構成される画像データは、二値データであり、１画素当たりの深度は、１ｂｉｔ（ＯＮｏｒＯＦＦ）であるから、網点１個の幅相当の画素数は、デジタル的には、概ね１６ｂｉｔ＝２ｂｙｔｅと表現される。即ち、ズラシ量の指定は、ｍｍ、ｉｎｃｈ、画素等の各種単位にて行うことが可能であり、そのスケール観は、人それぞれによって異なるため、各種単位は、一義的なユーザインターフェースとせずに、所望する何れか１つの単位を選択可能な構成としたり、何れか１つの単位で調整すると他のものが連動するように構成することが好ましい。
【００４０】
図３に戻って、指定項目１Ｂａにおいてズラシ量が指定されると、ズラシ処理部１３は、ラスターデータ保存部１１に保存された色版別の画像ラスターデータに対してズラシ処理を行う（ズラシ処理ステップ；ステップ５）。操作者は、ここで、ズラシ処理が施された画像（ズラシ処理が施された色版を重ねて表示したもの）を表示部１４に表示させる場合には（ステップ６、Ｙｅｓ）、キーボード等の操作により、モニタ表示項目１Ｂｂを選択する。すると、表示部１４は、合成された画像ラスターデータに基づく画像、即ち、ズラシ処理の施された画像を表示する（表示ステップ；ステップ７）。尚、ズラシ処理部１３は、メモリ等の記憶手段とＣＰＵ等の演算手段からなり、記憶手段に記憶される処理プログラムに従って、演算手段が演算処理を行うことで、色版別の画像ラスターデータに対するズラシ処理を行う。
【００４１】
この際、表示部１４においては、版ズレのないオリジナル画像と、ズラシ処理が施された画像を順次、或いは、同時に表示させても良い。
【００４２】
これにより、実際にカラープルーフを作成しなくとも、版ズレの確認を行うことができるので、不用なカラープルーフを作成することが無くなり、また、容易に印刷物の色調を事前確認することができる。
【００４３】
（ズラシ処理の内容）
ここで、ズラシ処理部１３による色版別の画像ラスターデータに対するズラシ処理の内容について、図５及び図６を参照しつつ説明する。
【００４４】
上述したように、例えば、２４００ｄｐｉ（ｄｏｔ  ｐｅｒ  ｉｎｃｈ）、１５０ｌｐｉ（ｌｉｎｅｓ  ｐｅｒ  ｉｎｃｈ）での画像出力を行う場合に、版ズラシ量指定画面１Ｂの指定項目１Ｂａにおいて、特定の色版のズラシ量が左に２ｂｙｔｅ（＝１６画素＝０．１７ｍｍ）と指定された場合には、ズラシ処理部１３は、図５に示すように、ライン単位に左端の画素２ｂｙｔｅのデータを切り捨て、新たに右端に２ｂｙｔｅのデータを付加して、これを右端の画素とみなす。因みに、この右端に付加される２ｂｙｔｅのデータは、例えばＤＣＰ作成装置２において白地に出力される２ｂｙｔｅ分のデータとする。尚、このような右端部に関する処理の手法としては、例えば当該特定の色版はそのままで、他の色版の右端の画素２ｂｙｔｅのデータを切り捨てる手法もある。また、各色版の出力サイズが若干異なることを気にしない場合には、右端に２ｂｙｔｅのデータを付加する手法もある。但し、このような場合には、データの欠落によらずＤＣＰ作成装置２においては、正常に出力処理が行われることが前提となる。
【００４５】
同様に、版ズラシ量指定画面１Ｂの指定項目１Ｂａにおいて、特定の色版のズラシ量が上に２ｂｙｔｅ（＝１６画素＝０．１７ｍｍ）と指定された場合には、ズラシ処理部１３は、図６に示すように、１ライン目のデータを切り捨て、新たに下端に１ライン分のデータを付加して、これを下端のラインとみなす。因みに、この下端に付加される１ライン分のデータは、例えばＤＣＰ作成装置２において白地に出力される１ライン分のデータとする。尚、このような下端部に関する処理の手法としては、例えば当該特定の色版はそのままで、他の色版の下端の１ライン分のデータを切り捨てる手法もある。また、各色版の出力サイズが若干異なることを気にしない場合には、下端に１ライン分のデータを付加することを省略する手法もある。但し、このような場合には、データの欠落によらずＤＣＰ作成装置２においては、正常に出力処理が行われることが前提となる。
【００４６】
図３に戻って、操作者は、さらに、表示部１４に表示される画像を確認して、ここで、ズラシ量を変化させる場合には（ステップ８、Ｎｏ）、再度、各色版のズラシ量の指定を行う（ステップ４）。以降、ステップ４からステップ８まで繰り返す。
【００４７】
これにより、各色版のズラシ量を段階的に変化させながら、印刷物の色調を事前確認することができるので、印刷物の仕上がりをより効率良く確認することができる。
【００４８】
そして、指定項目１Ｂａにおいて指定したズラシ量に基づきズラシ処理が施された色版別の画像ラスターデータをＤＣＰ作成装置２に送信する場合には（ステップ８、Ｙｅｓ）、操作者は、版ズラシ量指定画面１Ｂにおいて、キーボード等の操作により、ＯＫ項目１Ｂｃを選択する。すると、ＤＣＰ作成装置制御部１５は、ズラシ処理が施された色版別の画像ラスターデータを、出力指示信号と共にＤＣＰ作成装置２に出力する処理を行う（出力ステップ；ステップ９）。
【００４９】
尚、以上に説明したプリンタコントローラメイン画面１Ａ、及び、版ズラシ量指定画面１Ｂの形態は、これに限定されるものではなく、他の形態にすることも可能である。
【００５０】
［ＤＣＰ作成装置］
次に、当該画像出力システムを構成するＤＣＰ作成装置２の詳細構成及び詳細動作について、図７及び図８を参照しつつ説明する。
【００５１】
＜詳細構成＞
図７に示すように、ＤＣＰ作成装置２は、主に、感光材料上に画像を露光するための露光部３３と、露光された感光材料を現像処理するための処理部３４とから構成されている。
【００５２】
露光部３３は、外部に開閉可能な上面パネル３５及び前面パネル３６を有し、当該露光部３３のメンテナンスは、これらのパネルを開いて行う。また、ロールセット部３７は、ロール状に巻回された感光材料を収容したカートリッジを装填する部分であり、装置本体の上部に設けられている。尚、カートリッジの装填は、給紙カバー３９を開閉して行う。因みに、本実施形態のロールセット部３７は、単数であるが、複数設けられても良い。また、ロール状に巻回された感光材料を直接セットできるものであっても良い。尚、カートリッジに収容される感光材料は、通常、感光面を外側にして巻回される。従って、ロール状に巻回された感光材料を直接セットする場合であっても、感光材料の感光面を外側にして巻回されるものを用いることが好ましい。
【００５３】
装置本体の外面、具体的には、ロールセット部３７の手前側には、タッチパネル４２と液晶パネル４１から成る操作部が設けられている。タッチパネル４２は、液晶パネル４１の上面に重ねて設けられている。液晶パネル４１には、後述する制御部１００の制御により、操作者に入力を求める入力指示情報や装置の状態を示す装置状態情報等を表示する。一方、タッチパネル４２は、操作者が各種情報を入力する入力手段であり、操作者は、液晶パネル４１に表示される入力指示画面に応じて各種情報の入力を行う。タッチパネル４２からの入力に応じた各種情報は、後述するＲＡＭ１０２に記憶される。尚、操作部の構成は、これに限られず、例えば、ＬＥＤ等から成る表示手段と入力キー等から成る入力手段により構成しても良い。
【００５４】
処理部３４は、外面に開閉可能な上面パネル４３及び補給パネル４４を有し、通常のメンテナンスは上面パネル４３を開いて行い、処理液の補充等は、補給パネル４４を開いて行う。また、排紙部４５は、現像処理が終了した感光材料をストックする部分である。
【００５５】
図８に、ＤＣＰ作成装置２の制御構成を示す。図８に示すように、ＤＣＰ作成装置２は、全体の制御を行う制御部１００を有し、この制御部１００は、ＣＰＵ１０１、ＲＡＭ１０２及びＲＯＭ１０３とから構成されている。当該制御部１００は、Ｉ／Ｏポート１０４、１０５を介して、検出系を構成するセンサ類１０６及び駆動系を構成するアクチュエータ群１０７に接続され、センサ類１０６からの情報に基づいてアクチュエータ群１０７を制御するように構成されている。
【００５６】
また、操作部については、液晶パネル４１をドライバＤ２０により制御し、これにＤＣＰ作成装置の２の運転状態等を表示する。また、タッチパネル４２からの入力に応じた情報は、Ａ／Ｄ変換部１２０によりデジタル情報としてＣＰＵ１０１に送信される構成となっている。
【００５７】
さらに、ＤＣＰ作成装置２は、制御装置１から送信されるズラシ処理が施された色版別の画像ラスターデータと出力指示信号を受信する画像データＩ／Ｆ部２０１を備えている。画像データＩ／Ｆ部２０１は、この各色（Ｃ、Ｍ、Ｙ、Ｋ、特色１、特色２等）のラスターイメージフォーマットの網点画像データを、例えば各色１０本の走査線毎（各色１０のチャンネル毎）の露光用フォーマットに変換し、データバッファ２０４に蓄積する。この画像データのフォーマット変換は、同時に各色１０本の走査線を走査する場合、ラスターイメージフォーマットのビットマップデータの画像データを並べ替え、１０ライン並列に読み出すことにより行う。そして、データバッファ２０４に１枚分のデジタル網点画像データを蓄積した後、以下のようにして、全色同時露光、即ち、マルチ露光を行う。
【００５８】
この際、画素クロック生成部２０３は、ＰＬＬ２０２からの出力に同期させて画素クロックを生成する。そして、この画素クロックにてデータバッファ２０４からデジタル網点画像データを読み出して、これをＬＵＴ部２０５に送信する。
【００５９】
ＬＵＴ部２０５は、印刷の基準色となるＣ、Ｍ、Ｙ、Ｋ、特色１、特色２等と、これらを感光材料上に露光する光源の光強度、例えばＢ（ブルー）、Ｒ（レッド）、ＩＲ（赤外）光の強度組成との対応を規定するＬＵＴ（ルックアップテーブル）データを記憶している。そして、送られた露光用フォーマットのＣ、Ｍ、Ｙ、Ｋのデジタル網点画像データをＢ、Ｒ、ＩＲの露光強度データに変換する。その際、画素毎に、印刷物のＣ、Ｍ、Ｙ、Ｋの網点画像データをＢ、Ｒ、ＩＲのレーザ強度の組み合わせに変換する。
【００６０】
また、制御部１００のＣＰＵ１０１は、センサ類１０６からの感光材料の先端位置の情報、及び、図示省略のドラム位置を検出するロータリエンコーダからのパルス信号のカウントに基づいて、光学ユニットから射出されるレーザ光の照射位置に感光材料の画像記録領域が存在するか否かを判断する。そして、制御部１００は、この判断に基づき、レーザ光の照射位置に感光材料の画像記録領域が存在する期間は、ＬＵＴ部２０５に、レーザダイオードのレーザ光源３２０、３２１、３２２を駆動するドライバＤ３２０、３２１、３２２に入力される露光強度データが、常にレーザダイオードを発光させるに足りるようにＬＵＴデータの設定制御を行っている。これにより、レーザ光照射位置に感光材料の画像記録領域がある期間は、レーザ光源３２０、３２１、３２２のレーザダイオードは、常に発光し、良好な応答性になる。
【００６１】
このような制御の基、ドラムに保持される感光材料に対する網点画像の描画が行われる。その結果、出力される感光材料上、即ち、カラープルーフ上には、所定のズラシ処理が施された画像が描画される（画像出力ステップ）。
【００６２】
尚、このカラープルーフの出力にあたっては、ズラシ処理の施されていないオリジナル画像と、ズラシ処理を施した画像の双方を１枚の用紙上に並べて出力、若しくは、連続して出力するように構成することも可能である。また、ズラシ量を段階的に変化させながら、１枚の用紙上に並べて出力、若しくは、連続して出力するように構成することも可能である。これにより、印刷物の仕上がりを事前確認する効率を向上させることができる。
【００６３】
［画像出力システムの画像出力処理］
次に、以上に説明した制御装置１及びＤＣＰ作成装置２により構成される当該画像出力システムの画像出力処理に関する概略の流れについて、図９に示すシーケンス図を参照しつつ説明する。
【００６４】
制御装置オペレータは、まず、制御装置１において事前準備、具体的には、コントロールアプリケーションの起動操作を行う（Ｓ１）。これにより、コントロールアプリケーションが起動し、制御装置１の表示部１４には、プリンタコントローラメイン画面１Ａが表示され（Ｓ１´）、制御装置１は、画像データの送信待ちの状態となる（Ｓ２´）。一方、上流端末である画像データ編集端末３やＲＩＰ４において、上流端末オペレータは、出力する画像データの編集操作を行い（Ｓ１´´）、その画像データを制御装置１の所定フォルダへと送信する（Ｓ２´´）。制御装置１では、画像データ解析加工部１０が、この所定フォルダへの画像データの送信を検知して（Ｓ３´）、画像データを各色版別にラスター化処理する（Ｓ４´）。さらに、ラスターデータ保存部１１が、このラスター化された画像データ、即ち、画像ラスターデータを保存する（Ｓ５´）。制御装置オペレータは、ここで、ズラシ量指定部１２の操作により、表示部１４に版ズラシ量指定画面１Ｂを表示させて、この版ズラシ量指定画面１Ｂにおいて、色版毎に画像ラスターデータのズラシ量の指定を行う（Ｓ２）。制御装置１では、ズラシ処理部１３がラスターデータ保存部１１に保存された画像ラスターデータのズラシ処理を行う（Ｓ６´）。制御装置オペレータは、ここで、ズラシ処理の施された画像を表示させる場合には、ズラシ量指定部１２の操作により、表示部１４に表示される版ズラシ量指定画面１Ｂにおいて、モニタ表示項目１Ｂｂを選択する（Ｓ３）。制御装置１では、表示部１４がズラシ処理の施された画像を表示する（Ｓ７´）。制御装置オペレータは、ここで、画像ラスターデータをＤＣＰ作成装置２に対して出力する場合には、ズラシ量指定部１２の操作により、表示部１４に表示される版ズラシ量指定画面１Ｂにおいて、ＯＫ項目１Ｂｃを選択する（Ｓ４）。制御装置１では、ＤＣＰ作成装置制御部１５が、ズラシ処理が施された色版別の画像ラスターデータを、出力指示信号と共にＤＣＰ作成装置２に出力する（Ｓ８´）。
【００６５】
これを受けたＤＣＰ作成装置２では、出力する感光材料上、即ち、カラープルーフ上に、ズラシ処理が施された所定の画像を描画する。
【００６６】
［画像出力システムの他の構成］
次に、本発明に係る画像出力システムの他の実施形態におけるシステム構成及び概略動作について、図１０を参照しつつ説明する。尚、本実施形態における画像出力システムは、上述した画像出力システムの制御装置１におけるズラシ処理を行う機能がＤＣＰ作成装置自体に備えられるものである。
【００６７】
従って、ＤＣＰ作成装置におけるズラシ量の指定に関して、また、その際に、ＤＣＰ作成装置の表示部に表示される指定画面の態様に関して、さらに、ＤＣＰ作成装置の画像出力処理の流れに関しては、何れも上述した画像出力システムにおける場合と同様であるため、ここでの説明は省略する。
【００６８】
＜システム構成＞
図１０に示すように、当該画像出力システムは、上流端末、即ち、画像データ編集端末３やＲＩＰ（Ｒａｓｔｅｒ・Ｉｍａｇｅ・Ｐｒｏｃｅｓｓｏｒ）４から送信された画像データに所定の加工処理を行った後、これを出力するＤＣＰ作成装置２ａを含み構成されている。因みに、ＲＩＰ４は、制御装置１に組み込まれた構成としても良い。また、ＤＣＰ作成装置２ａは、複数が設けられても良い。尚、これらはネットワークＮを介して互いに接続されている。
【００６９】
＜概略動作＞
このような構成において、ＤＣＰ作成装置２ａは、画像データ編集端末３やＲＩＰ４から送信された画像データを予め設定された出力条件に従って解析加工した後、これを出力する。これにより、カラープルーフが作成される。
【００７０】
［ＤＣＰ作成装置の構成］
次に、当該画像出力システムを構成するＤＣＰ作成装置２ａの詳細構成及び詳細動作について、図１１及び図１２を参照しつつ説明する。
【００７１】
＜詳細構成＞
図１１及び図１２に、ＤＣＰ作成装置２ａの制御構成を示す。ＤＣＰ作成装置２ａは、図１１に示すように、従来のＤＣＰ作成装置としての機能を構成する第１の制御構成部と、図１２に示すように、上述した画像出力システムにおける制御装置１のズラシ処理を行う機能を構成する第２の制御構成部とから構成されている。尚、図１２に示す第２の制御構成部は、図１１に示す第１の制御構成部の画像データ処理部２１０に対応するものであり、画像データＩ／Ｆ部２０１において受信された画像データは、画像データ処理部２１０の画像データ解析加工部２０に送信される。
【００７２】
＜詳細動作＞
このような構成において、画像データ編集端末３やＲＩＰ４から画像データが送信されると、画像データＩ／Ｆ部２０１は、これを受信して、画像データ解析加工部２０に送信する。画像データ解析加工部２０は、その画像データを解析及び加工することで、色版別の画像ラスターデータを作成する。さらに、ラスターデータ保存部２１は、その色版別の画像ラスターデータを保存する。尚、画像データ解析加工部２０は、メモリ等の記憶手段とＣＰＵ等の演算手段からなり、記憶手段に記憶される処理プログラムに従って、演算手段が演算処理を行うことで、画像データの解析及び加工を行い、色版別の画像ラスターデータを作成する。因みに、これら記憶手段及び演算手段は、第１の制御構成部におけるＲＯＭ１０３及びＣＰＵ１０１にて構成しても良い。
【００７３】
操作者は、ここで、画像データ処理部２１０のズラシ量指定部２２により、カラープルーフを作成する前の準備として、色版別に、そのズラシ量の指定を行う。尚、ズラシ量指定部２２は、第１の制御構成部におけるタッチパネル４２により構成しても良い。
【００７４】
ズラシ量が指定されると、ズラシ処理部２３は、ラスターデータ保存部２１に保存された色版別の画像ラスターデータに対してズラシ処理を行う。操作者は、ここで、ズラシ処理が施された画像（ズラシ処理が施された色版を重ねて表示したもの）を表示部２４に表示させる場合には、ズラシ量指定部２２により操作を行うことで、表示部２４は、合成された画像ラスターデータに基づく画像、即ち、ズラシ処理の施された画像を表示する。尚、ズラシ処理部２３は、メモリ等の記憶手段とＣＰＵ等の演算手段からなり、記憶手段に記憶される処理プログラムに従って、演算手段が演算処理を行うことで、色版別の画像ラスターデータに対するズラシ処理を行う。因みに、これら記憶手段及び演算手段は、第１の制御構成部におけるＲＯＭ１０３及びＣＰＵ１０１にて構成しても良い。
【００７５】
操作者は、表示部２４に表示される画像を確認して、ここで、ズラシ量を変化させる場合には、再度、各色版のズラシ量の指定を行う。
【００７６】
そして、操作者は、ズラシ処理が施された色版別の画像ラスターデータの出力処理を行う場合には、ズラシ量指定部２２により操作を行うことで、ラスターデータ保存部２１は、ズラシ処理が施された色版別の画像ラスターデータをデータバッファ２０４へ送信する。
【００７７】
そして、データバッファ２０４に１枚分のデジタル網点画像データが蓄積されると、上述した画像出力システムにおけるＤＣＰ作成装置２と同様に全色同時露光、即ち、マルチ露光が行われる。
【００７８】
その結果、出力される感光材料上、即ち、カラープルーフ上には、所定のズラシ処理が施された画像が描画される。
【００７９】
［プログラム及びこれを記憶する記録媒体］
尚、上述した画像出力システムを構成する制御装置１やＤＣＰ作成装置２等において行われる処理、具体的には、図３に示す＜画像データ解析加工ステップ＞〜＜出力ステップ＞、或いは、ＤＣＰ作成装置２における画像出力ステップに対応する処理を実行させるためのプログラムは、各々の装置に内蔵、若しくは、接続される記憶媒体（例えば、ＤＣＰ作成装置２のＲＯＭ１０３）に記録されており、同じく各々の装置に備えられた演算手段（例えば、ＤＣＰ作成装置２のＣＰＵ１０１）によって、これが読み出されて実行されるものとする。
【００８０】
尚、上述した記録媒体の具体例としては、例えばＲＯＭ、ＲＡＭ、フラッシュメモリ等の半導体メモリ、並びに、集積回路等のメモリ装置、光ディスク、光磁気ディスク（ＣＤ−ＲＯＭ／ＤＶＤ−ＲＡＭ／ＤＶＤ−ＲＯＭ／ＭＯ等）、磁気記録媒体＜磁気ディスク＞（ハードディスク／フロッピー（登録商標）ディスク／ＺＩＰ等）等を挙げることができる。
【００８１】
【発明の効果】
以上に説明したように、本発明に係る画像出力システム、制御装置、画像出力装置、画像出力方法、その方法を実行させるためのプログラム、及び、そのプログラムを記憶した記憶媒体によれば、印刷物において生じる版ズレを考慮することで、最終印刷物をより忠実に再現するカラープルーフを作成することができる。
【図面の簡単な説明】
【図１】本発明に係る画像出力システムの一実施形態におけるシステム構成を表す構成図である。
【図２】図１に示す画像出力システムの制御装置の詳細構成を表すブロック図である。
【図３】図２に示す制御装置における一連の処理の流れを説明するフローチャートである。
【図４】図２に示す制御装置の表示部において表示されるズラシ量の指定を行う際の指定画面の流れについて説明するための説明図である。
【図５】図２に示す制御装置のズラシ処理部において行われるズラシ処理の内容について説明するための説明図である。
【図６】図２に示す制御装置のズラシ処理部において行われるズラシ処理の内容について説明するための説明図である。
【図７】図１に示す画像出力システムのＤＣＰ作成装置の外観を表す構成図である。
【図８】図７に示すＤＣＰ作成装置の制御構成を表すブロック図である。
【図９】図１に示す画像出力システムの制御装置における一連の処理の流れを説明するシーケンス図である。
【図１０】図１に示す画像出力システムの他の実施形態におけるシステム構成を表す構成図である。
【図１１】図１０に示す画像出力システムのＤＣＰ作成装置の詳細構成を表すブロック図である。
【図１２】図１１に示す画像データ処理部の詳細構成を表すブロック図である。
【図１３】各色の色版における網点の並び方向（＝網点角度）が排他的に選択されることについて説明するための説明図である。
【図１４】版ズレが生じない場合と生じた場合とで、網点の重なり具合が異なることからその色調が異なって見えることについて説明するための説明図である。
【符号の説明】
１  制御装置
１０  画像データ解析加工部
１１  ラスターデータ保存部
１２  ズラシ量指定部
１３  ズラシ処理部
１４  表示部
１５  ＤＣＰ作成装置制御部
２  ＤＣＰ作成装置
２０  画像データ解析加工部
２１  ラスターデータ保存部
２２  ズラシ量指定部
２３  ズラシ処理部
２４  表示部
３３  露光部
３４  処理部
３５  上面パネル
３６  前面パネル
３７  ロールセット部
３９  給紙カバー
４１  液晶パネル
４２  タッチパネル
４３  上面パネル
４４  補給パネル
４５  排紙部
１００  制御部
１０１  ＣＰＵ
１０２  ＲＡＭ
１０３  ＲＯＭ
１０４、１０５  Ｉ／Ｏポート
１０６  センサ類
１０７  アクチュエータ群
１２０  Ａ／Ｄ変換部
２０１  画像データＩ／Ｆ部
２０２  ＰＬＬ
２０３  画素クロック生成部
２０４  データバッファ
２０５  ＬＵＴ部
２０６〜２０８  Ｄ／Ａ変換部
２１０  画像データ処理部
３２０〜３２２  ＬＥＤ
Ｄ２０、Ｄ３２０〜Ｄ３２２  ドライバ
３  画像データ編集端末
４  ＲＩＰ
Ｎ  ネットワーク
１Ａ  プリンタコントロール画面
１Ａａ  ＲＩＰ処理待ちジョブ表示部
１Ａｂ  ＲＩＰ処理済みジョブ表示部
１Ａｃ  出力処理済みジョブ表示部
１Ｂ  版ズラシ量指定画面
１Ｂａ  指定項目
１Ｂｂ  モニタ表示項目
１Ｂｃ  ＯＫ項目
１Ｂｄ  キャンセル項目
【図１】
2004294656.tif 000003
【図２】
2004294656.tif 000004
【図３】
2004294656.tif 000005
【図４】
2004294656.tif 000006
【図５】
2004294656.tif 000007
【図６】
2004294656.tif 000008
【図７】
2004294656.tif 000009
【図８】
2004294656.tif 000010
【図９】
2004294656.tif 000011
【図１０】
2004294656.tif 000012
【図１１】
2004294656.tif 000013
【図１２】
2004294656.tif 000014
【図１３】
2004294656.tif 000015
【図１４】
2004294656.tif 000016